Podtech/llm-jp-corpus-v4-ja_patent huggingface dataset:
(57)【要約】      （修正有）【課題】ユーザの切り換え操作に応じて、涼風又は温風を選択的に発生させることができる扇風機を提供する。【解決手段】基台２０と、基台上に固着された支柱４０と、支柱の上面に取り付けられたモータ５０と、モータに取り付けられたファン６０と、温風の吹出口７０Ｂをファンの背面側に配置するようにして、支柱に設けられた温風発生装置部７０とを備える。【選択図】図１
0003202350.tif 000002
【実用新案登録請求の範囲】
【請求項１】
基台と、
前記基台上に固着された支柱と、
前記支柱の上面に取り付けられたモータと、
前記モータに取り付けられたファンと、
温風の吹出口を前記ファンの背面側に配置するようにして、前記支柱に設けられた温風発生装置部と
を備えることを特徴とする扇風機。
【考案の詳細な説明】
【技術分野】
【０００１】
本考案は、扇風機に関する。
【背景技術】
【０００２】
従来、ファン（羽根）を回転させることにより風を発生させる機器として、種々の扇風機が開発及び提案されている。
【考案の概要】
【考案が解決しようとする課題】
【０００３】
本考案は、ユーザの切り換え操作に応じて、涼風又は温風を選択的に発生させることができる扇風機を提供することを目的とする。
【課題を解決するための手段】
【０００４】
本考案の一態様による扇風機は、
基台と、
前記基台上に固着された支柱と、
前記支柱の上面に取り付けられたモータと、
前記モータに取り付けられたファンと、
温風の吹出口を前記ファンの背面側に配置するようにして、前記支柱に設けられた温風発生装置部と
を備える。
【考案の効果】
【０００５】
本考案の扇風機によれば、ユーザの切り換え操作に応じて、涼風又は温風を選択的に発生させることができる。
【図面の簡単な説明】
【０００６】
【図１】本考案の実施の形態による扇風機の構成を示す斜視図である。
【図２】本考案の実施の形態による扇風機の機能的な構成を示すブロック図である。
【図３】本考案の実施の形態による扇風機が温風を発生させる様子を示す説明図である。
【考案を実施するための形態】
【０００７】
以下、本考案の実施の形態について図面を参照して説明する。
【０００８】
図１及び図２に、本考案の実施の形態による扇風機１０の構成を示す。このうち、図１は、扇風機１０の斜視図を示し、図２は、扇風機１０の機能的な構成を示すブロック図である。
【０００９】
この扇風機１０は、床面に載置される基台２０を有し、この基台２０の表面には、ユーザが当該扇風機１０を操作するための操作部３０が設けられている。
【００１０】
また、基台２０上には、当該扇風機１０を支持するための支柱４０が固着され、この支柱４０の上面には、モータ５０が取り付けられている。さらに、このモータ５０には、ファン（羽根）６０が取り付けられている。
【００１１】
制御部８０は、例えば基台２０に内蔵され、操作部３０におけるユーザの操作に応じて、モータ５０を駆動することにより、ファンを回転させるようになされている。
【００１２】
ところで、本実施の形態の場合、支柱４０の側面には、ドライヤーの機能を有する温風発生装置部７０が取り付けられている。この温風発生装置部７０は、吸込口７０Ａと、吹出口７０Ｂとを有し、吹出口７０Ｂをファン６０の背面側に配置するようにして、支柱４０に設置されている。
【００１３】
この温風発生装置部７０は、吸込口７０Ａから吸い込まれた空気を、内部の図示しないヒータによって熱することにより、温風を発生させ、吹出口７０Ｂから吹き出すようになされている。
【００１４】
これにより、制御部８０は、操作部３０におけるユーザの操作に応じて、温風発生装置部７０がオン状態にされると、温風発生装置部７０を駆動することにより、温風を吹出口７０Ｂから吹き出す。
【００１５】
この場合、図３に示すように、ファン６０から発生された涼風Ｗ１０と、温風発生装置部７０から発生された温風Ｗ２０とを混合することにより、扇風機１０から温風を発生させることができる。
【００１６】
このように本実施の形態によれば、ユーザの切り換え操作に応じて、涼風又は温風を選択的に発生させることができる。これにより、例えば夏だけでなく冬であっても、温風を発生させれば、当該扇風機１０を用いて、洗髪後の髪を乾かすことができる。その際、両手を使えることができるため、髪を乾かす以外の動作を行うことができる。
【００１７】
なお、上述の実施の形態においては、支柱４０の側面に、ドライヤーに対応するＬ字型の温風発生装置部７０を取り付けた場合について述べたが、本考案はこれに限らず、例えば円柱状の温風発生装置部７０を取り付けても良く、また、支柱４０の内部に温風発生装置部７０を設けるようにしても良い。
【符号の説明】
【００１８】
１０  扇風機
２０  基台
３０  操作部
４０  支柱
５０  モータ
６０  ファン
７０  温風発生装置部
【図１】
0003202350.tif 000003
【図２】
0003202350.tif 000004
【図３】
0003202350.tif 000005
(57)【要約】      （修正有）【課題】患者が薬を飲み忘れることが無くなり、早期病気回復や薬の在庫が低減できる、のみ薬日常管理袋を提供する。【解決手段】四角で大きさ縦５００ｍｍ以上＊横３５０ｍｍ以上の形をしていて、薬一錠・薬一包又は薬一包化を入れる大きさ縦４０ｍｍ以上＊横７０ｍｍ以上のマチ付∪形袋３１〜５８と、吊り下げひも４と、月管理を記入する記入欄２と、大きさ縦４０ｍｍ以上＊横７０ｍｍ以上の薬手帳を入れる袋３と、大きさ縦４０ｍｍ以上＊横７０ｍｍ以上の薬服用者がわかる氏名を入れる袋５と、薬を飲む時間帯（朝・昼・夜・寝る前）を記入する記入欄６と、薬を飲む曜日（月曜日から日曜日）を記入する記入欄７，９，１１，１３，１５，１７，１９とを有している。これにより患者自身や関係者もすぐ服用状態が判るようになっている。【選択図】図１
0003202382.tif 000002
【実用新案登録請求の範囲】
【請求項１】
“のみ薬日常管理袋”の形は四角形にする。
【請求項２】
“のみ薬日常管理袋”の大きさは縦５００ｍｍ以上＊横３５０ｍｍ以上とする。
【請求項３】
薬一錠・薬一包又は薬一包化入れの袋は縦４０ｍｍ以上＊横７０ｍｍ以上とする。
【請求項４】
薬一錠・薬一包又は薬一包化入れの袋はマチ付とする。
【請求項５】
“のみ薬日常管理袋”には吊り下げひもをつける。
【請求項６】
月を表示する袋を設ける。
【請求項７】
日付は１日から３１日までを４枚の帯状に分割する。
【請求項８】
日付は１日から３１日が判るよう一枚毎にする。
【請求項９】
薬手帳を入れる袋を設ける。
【請求項１０】
薬服用者がわかる氏名表示する袋を設ける。
【請求項１１】
薬を飲む時間帯（朝・昼・夜・寝る前）が判るように表示する。
【請求項１２】
薬を飲む曜日（月曜日から日曜日）が判るように表示する。
【請求項１３】
薬一錠・薬一包又は薬一包化入れ袋の形はＵ形にする。
【請求項１４】
薬一錠・薬一包又は薬一包化入れ袋の形は台形にする。
【請求項１５】
薬一錠・薬一包又は薬一包化入れの袋は三角形にする。
【考案の詳細な説明】
【技術分野】
【０００１】本発明は、薬を飲んでいる患者が正しく服用するため患者氏名・月・日・週を明示し
更に朝飲み薬・昼飲み薬・夜飲み薬・寝る前飲み薬を事前に入れておくマチ付袋と吊り下げひもを備えた“のみ薬日常管理袋”です。
【背景技術】
【０００２】従来は薬を飲んでいる患者自身またその家族・薬剤師・高齢者介護施設等関係者も含め正しく服用されているかその状況が判らなかったため患者の病気快復の遅れや薬の在庫が多く発生している。
【先行技術文献】
無
【非特殊文献】
無
【考案の概要】
【考案が解決しようとする課題】
【０００３】患者が薬を正しく服用するための手段及び薬の在庫を低減するための手段が無い。
【課題を解決するための手段】
【０００４】上述を解決するため事前に飲み薬を入れておく朝飲み薬袋・昼飲み薬袋・夜飲み薬袋・寝る前飲み薬袋を備え更に月・曜日・日付を備えた“のみ薬日常管理袋”を吊る下げる事によって患者自身また家族・薬剤師・高齢者介護施設等関係者も一目で判るようになり薬の飲み忘れが図られる。
【考案の効果】
【０００５】服用者が自宅で正しく服用したか判り早期病気回復が図られる。【０００６】服用者が病院・高齢者介護施設等で正しく服用しているか看護師や介護士等関係者が判る。【０００７】在宅医療で医師や薬剤師が服用者宅を訪問した時正しく服用しているか判る。【０００８】服用者の薬の在庫管理がしやすく在庫低減が図られる。
【図面の簡単な説明】
【０００９】
【図１】“のみ薬日常管理袋”全体構成図  Ｕ形
【図２】“のみ薬日常管理袋”全体構成図  台形
【図３】“のみ薬日常管理袋”全体構成図  三角形
【図４】吊り下げひも
【図５】日付（帯状）
【図６】日付（単品）
【符号の説明】
【０００１０】［図１］
１〜”のみ薬日常管理袋”  Ｕ形
２〜月管理
３〜薬手帳
４〜吊り下げひも
５〜氏名
６〜朝  昼  夜  寝る前
７〜月    ９〜火    １１〜水    １３〜木    １５〜金    １７〜土    １９〜日
８  １０  １２  １４  １６  １８  ２０〜日付
３１から５８〜  薬入れ袋薬空入れ  Ｕ形
［図２］
１〜”のみ薬日常管理袋”  台形
２〜月管理
３〜薬手帳
４〜吊り下げひも
５〜氏名
６〜朝  昼  夜  寝る前
７〜月    ９〜火    １１〜水    １３〜木    １５〜金    １７〜土    １９〜日
８  １０  １２  １４  １６  １８  ２０〜日付
６１から８８〜  薬入れ袋又は薬空入れ  台形
［図３］
１〜”のみ薬日常管理袋”  三角形
２〜月管理
３〜薬手帳
４〜吊り下げひも
５〜氏名
６〜朝  昼  夜  寝る前
７〜月    ９〜火    １１〜水    １３〜木    １５〜金    １７〜土    １９〜日
８  １０  １２  １４  １６  １８  ２０〜日付
９１から１１８〜  薬入れ袋又は薬空入れ  三角形
［図４］
４〜吊り下げひも
［図５］
Ａ  帯状  〜  １日から７日
Ｂ  〃    〜  ８日から１４日
Ｃ  〃    〜  １５日から２１日
Ｄ  〃    〜  ２２日から２８日
Ｅ  〃    〜  ２９日から３１日から４日
［図６］
Ｆ  単品  〜  １日から３１日
【図１】
0003202382.tif 000003
【図２】
0003202382.tif 000004
【図３】
0003202382.tif 000005
【図４】
0003202382.tif 000006
【図５】
0003202382.tif 000007
【図６】
0003202382.tif 000008
【手続補正書】
【提出日】平成27年11月5日(2015.11.5)
【手続補正１】
【補正対象書類名】実用新案登録請求の範囲
【補正対象項目名】全文
【補正方法】変更
【補正の内容】
【実用新案登録請求の範囲】
【請求項１】
四角で大きさ縦５００ｍｍ以上＊横３５０ｍｍ以上の形を有している“のみ薬日常管理袋”。
【請求項２】
薬一錠・薬一包又は薬一包化を入れる大きさ縦４０ｍｍ以上＊横７０ｍｍ以上のマチ付∪形袋を有している請求項１記載の“のみ薬日常管理袋”。
【請求項３】
吊り下げひもを有している請求項１記載の“のみ薬日常管理袋”。
【請求項４】
月管理を記入する記入欄を有している請求項１記載の“のみ薬日常管理袋”。
【請求項５】
大きさ縦４０ｍｍ以上＊横７０ｍｍ以上の薬手帳を入れる袋を有している請求項１記載の“のみ薬日常管理袋”。
【請求項６】
大きさ縦４０ｍｍ以上＊横７０ｍｍ以上の薬服用者がわかる氏名を入れる袋を有している請求項１記載の“のみ薬日常管理袋”。
【請求項７】
薬を飲む時間帯（朝・昼・夜・寝る前）を記入する記入欄を有している請求項１記載の“のみ薬日常管理袋”。
【請求項８】
薬を飲む曜日（月曜日から日曜日）を記入する記入欄を有している請求項１記載の“のみ薬日常管理袋”。
【請求項９】
薬一錠・薬一包又は薬一包化を入れる大きさ縦４０ｍｍ以上＊横７０ｍｍ以上のマチ付台形袋を有している請求項１記載の“のみ薬日常管理袋”。
【請求項１０】
薬一錠・薬一包又は薬一包化を入れる大きさ縦４０ｍｍ以上＊横７０ｍｍ以上のマチ付三角形袋を有している請求項１記載の“のみ薬日常管理袋”。
(57)【要約】【課題】  患者の身体の不測の移動により滑らないように防滑性が付与されており、しかも医療用シートとして必要不可欠である６０℃での滅菌処理にも耐えるなどの優れた医療用シートの提供を目的とする。【解決手段】  合成繊維、再生繊維、天然繊維などの不織布よりなる比較的厚みのある表層２とエチレンとメチルメタアクリレートとの共重合体とからなる比較的厚みのある裏層３とを接着剤薄層４とで結合して三層構造体となした。【選択図】図１
0003202389.tif 000002
【実用新案登録請求の範囲】
【請求項１】
合成繊維、再生繊維、天然繊維などの不織布よりなる比較的厚みのある表層とエチレンとメチルメタアクリレートとの共重合体とからなる比較的厚みのある裏層とを接着剤薄層とで結合して三層構造体となしたことを特徴とする医療用シート。
【考案の詳細な説明】
【技術分野】
【０００１】  本考案は、医療用シートに関するものである。
【背景技術】
【０００２】  医療用シートは、患者が手術などを受けるさいに、ベッドなどの上に敷いて患者の体液や手術に使用の薬液などによる不測の汚損を防止するために、使用するものであり、実用上、患者の身体の移動により滑らないように防滑性を付与する試みがなされている。【０００３】  従来のこの種の医療用シートとしては、例えば  特許文献１に記載の滑り止めシートを例示することができるが、これはポリオレフィンエラストマーを滑り止め層として使用したものであり、医療用シートとして必要な６０℃での滅菌処理に耐えないという致命的な結果がある。
【先行技術文献】
【０００４】
【特許文献１】  特開２００２−４６２１９号公報
【考案の概要】
【考案が解決しようとする課題】
【０００５】  本考案は、かかる現状に鑑み、医療用シートとして必要な６０℃での滅菌処理に耐え、しかもベッドなどの上に敷いて患者の体液や手術に使用の薬液などによる不測の汚損を防止することができる医療用シートの提供を目的とするものである。
【課題を解決するための手段】
【０００６】  本考案は、上記目的を達成するものであって、合成繊維、再生繊維、天然繊維などの不織布よりなる比較的厚みのある表層とエチレンとメチルメタアクリレートとの共重合体からなる比較的厚みのある裏層とを接着剤薄層とで結合して三層構造体となしたことを特徴とする医療用シートである。
【考案の効果】
【０００７】  本考案の医療用シートでは、患者や物品などがシートの上に乗せられたときに、シートが滑りにくいように、防滑性が付与されており、しかも医療用シートとして必要不可欠である滅菌工程で６０℃程度まで加熱された場合でもシートのフイルム同士がブロッキングし難いなどの耐性を有するなどの実用上の優れた作用効果を奏するものである。
【図面の簡単な説明】
【０００８】
【図１】  本考案の医療用シートの一実施態様を示す断面図である。
【考案を実施するための形態】
【０００９】  以下、図面に基づいて本考案の実施態様を詳細に説明する。
図１において、１は本考案の医療用シートであって、該医療用シート１は、比較的厚みのある表層２と比較的厚みのある裏層３とを接着剤薄層４とで結合して三層構造体となしたものである。
【００１０】  表層２は、本考案の医療用シート１の主体をなすものであって、合成繊維、再生繊維、天然繊維などの不織布よりなるものであり、例えばポリプロピレン、ポリエチレンテレフタレート、ポリアミド、レーヨン、木綿などの不織布層である。
【００１１】  裏層３は、防滑性を付与するもので、エチレンとメチルメタアクリレートとの共重合体とからなるフイルムからなるものである。
【００１２】  接着剤薄層４は、前記不織布とエチレンとメチルメタアクリレートとの共重合体とからなるフイルムとを接着しうる接着剤の層であれば、いかなるものであってもよく、ホットメルト樹脂が好適に使用可能である。
【００１３】  上記医療用シート１は、ベッドなどの汚損を防止する医療用シーツのほか、医療機器からの汚染を防ぐための医療用カバーであってもよく、また救急患者を運搬する医療用運搬シートや手術部位の下に敷く医療用敷布であってもよいことは、もちろんである。
【符号の説明】
【００１４】  １    医療用シート
２    表層
３    裏層
４    接着剤薄層
【図１】
0003202389.tif 000003
(57)【要約】      （修正有）【課題】水分の補給の為に、根だけを水に浸すことができ、土中の細菌繁殖を防ぐ為に、土を観葉植物の支持体としない、観葉植物用植木鉢を提供する。【解決手段】植木鉢１をコップ２の内部に入れても、植木鉢１は上部で固定され、コップ２内の中間に置かれ、植木鉢１の下部底面と、コップ２に水を補給した時でも、水面上部が触れない間隔を作る。植木鉢１の下部底面と下部側面は根が通過できる格子を開ける。植木鉢１の内部は小石などを入れて、観葉植物３の支持体とする。【選択図】図１
0003202385.tif 000002
【実用新案登録請求の範囲】
【請求項１】
植木鉢の容器は上部で外側淵を広くし、コップに引っ掛かけ、植木鉢の容器下部は根だけを水に浸すことのできる大きさの格子を開けることを特徴とする。
【考案の詳細な説明】
【技術分野】
【０００１】
本考案は、観葉植物の越冬が容易な植木鉢に関するものである。
【背景技術】
【０００２】
寒冷地方では冬期間に、観葉植物を枯死させない為に、電気器具などを使用して保温するが、経済的な負担が大きい。また、電気器具を使用しない、発砲スチロールなどでの保温は、観賞できなくなる問題点を有していた。
【０００３】
観葉植物の枯死原因は土中の細菌繁殖や、低温で根腐れし、水分などの補給が、できなくなるの  
が主である。  
【０００４】
この改善策として、水栽培を応用する。土を観葉植物の支持体とせずに、小石などを支持体として
植木鉢に入れることで、土中の細菌繁殖を防ぐ。また、植木鉢は水に浸けずに、根だけをのばして、根を水に浸けることで、水分などの補給をする。
【先行技術文献】
【特許文献】
【０００５】
【特許文献１】特開２０１０−２４６５１８号公報
【０００６】
【特許文献２】実登３１５９１６８号公報
【考案の概要】
【考案が解決しようとする課題】
【０００７】
解決しようとする問題点は、植木鉢内の観葉植物の根だけを自由に伸ばし、水と接触させ、水分などの補給を可能とする点である。観葉植物の幹などの部分は水と接触させない。
【課題を解決するための手段】
【０００８】
本考案は、水分の補給用容器と、植木鉢とを分離させ、２重構造とする。水分の入った補給用容器の内側に入る、観葉植物の根だけを自由に伸ばす植木鉢を、最も主要な特徴とする。
【考案の効果】
【０００９】
本考案の植木鉢は、寒冷地方の寒冷期間でも観葉植物の根だけを水に入れて生育するので、観葉植物の美観を損ねず、枯死を防げる。
【図面の簡単な説明】
【００１０】
【図１】図1は耐寒目的の観葉植物用植木鉢の側面から見た全体の説明図である
【図２】図2は耐寒目的の観葉植物用植木鉢の上面の説明図である
【図３】図3は耐寒目的の観葉植物用植木鉢の側面の説明図である
【図４】図4は耐寒目的の観葉植物用植木鉢の断面の説明図である
【考案を実施するための形態】
【００１１】
耐寒目的の観葉植物用植木鉢（以後植木鉢）の形態は、水分の補給用容器（以後コップ）などの大きさより若干小さくして、植木鉢下部はコップ内に入る幅の大きさを用意する。
【００１２】
植木鉢上部の広い部分がコップ上部と接しコップに固定される、のり面を用意する。また、のり面は
指で持てる広さとする。
【００１３】
コップ内の底に水分を補給しても、植木鉢下部が触れない長さの大きさにする。
【００１４】
コップ内の大きさに合わせて、多種多様な植木鉢の大きさを作り、対応する。
【００１５】
植木鉢の材料は陶器やプラスチックなどを主とする。
【００１６】
植木鉢の下部は根が通過できて、小石などを通過させない大きさの格子を開ける。
【符号の説明】
【００１７】
１  耐寒目的の観葉植物用植木鉢
２  コップ
３  観葉植物
４  全体図
【図１】
0003202385.tif 000003
【図２】
0003202385.tif 000004
【図３】
0003202385.tif 000005
【図４】
0003202385.tif 000006
【手続補正書】
【提出日】平成27年11月24日(2015.11.24)
【手続補正１】
【補正対象書類名】実用新案登録請求の範囲
【補正対象項目名】全文
【補正方法】変更
【補正の内容】
【実用新案登録請求の範囲】
【請求項１】
植木鉢の容器上部は外側淵を広くし、コップに引っ掛かけ、植木鉢の容器下部は根だけを
水に浸すことのできる大きさの格子を開けることを特徴とする観葉植物用植木鉢。
(57)【要約】      （修正有）【課題】かさばらず、携帯性に富み、ノベルティとして配布が容易で、自動車用のヘッドレストに取り付けることのできる車載用組立式ペットボトルホルダーを提供する。【解決手段】型抜きされた１枚から成るプラスチックシートを、ホルダー前面２を上にして、下部を奥方向へ曲げ、側部の固定用切り込み４に固定用差込部３をそれぞれ内側より順番に通し、本体を組み立てることでペットボトル差し込み口を成形するとともに、自動車用ヘッドレストの固定穴１と５を、山折り辺６を山折りにして重ね、ヘッドレストのポールに通して本体をヘッドレストに設置する。表面に、オフセット印刷を用いて、宣伝効果の役割を果たす印刷を施すのが好ましい。【選択図】図２
0003202368.tif 000002
【実用新案登録請求の範囲】
【請求項１】
１枚の柔軟性があるプラスチックシートを、型抜き等で形状加工して、作られた事を特徴とする車載用組立式ペットボトルホルダー。
【請求項２】
１枚のシートを、糊などの接着剤を使用せず組み立てる事により、車載用のペットボトルホルダーとして利用できる事を特徴とした、［請求項１］の車載用組立式ペットボトルホルダー。
【考案の詳細な説明】
【技術分野】
【０００１】本考案は、自動車用のヘッドレストに取り付ける車載用組立式ペットボトルホルダーに関するものである。
【背景技術】
【０００２】従来の車載用のペットボトル飲料等をのせる器具として使用されるドリンクホルダーは、立体に成形した物が主流である。
【考案が解決しようとする課題】
【０００３】しかしながら、従来の車載用のペットボトル飲料等をのせる器具として使用されるドリンクホルダーでは、立体に成形した物であると、ノベルティなどで配布をするとかさばってしまうなど携帯性に乏しかった。
【課題を解決するための手段】
【０００５】素材には耐水性のあるシート状のプラスチック材等を使用し、車載用組立式ペットボトルホルダーの形状に組み立てられるように切り込み等を入れた構造とする。
【０００６】車載用組立式ペットボトルホルダーの構造は、［図２］を山折りに半分に曲げて、車用ヘッドレストの固定穴（１）をホルダー前面（２）の後ろにくるように起こす形状により、差し込み部分を必要としないため強度が保てる。さらに［図２］のホルダー前面（２）から固定用切り込み（４）に固定用差込部（３）をＡ〜Ｃに三重に手前から奥へ順にくぐらせ、これを固定することにより、１枚のシートより組み立てられる車載用組立式ペットボトルホルダーの形状を可能とした。
【考案の効果】
【００１０】本考案の車載用組立式ペットボトルホルダーは、１枚のシートから構成されているので、従来の立体に成形した物と比べかさばらず、携帯性に富み、ノベルティとして配布することや雑誌の付録、郵送等で送る事が容易になる。
【図面の簡単な説明】
【００１８】
【図１】本考案のシートの正面図
【図２】本考案の本体の正面図
【図３】本考案の完成図
【図４】本考案の使用図
【考案を実施するための形態】
【００１９】以下、本考案の形態を図に基づいて説明する。
【実施例１】
【００２０】［図１］は型抜きされた１枚のプラスチックシートである。このプラスチックシート本体［図２］を山折りに半分に曲げて、車用ヘッドレストの固定穴（１）をホルダー前面（２）の後ろにくるように起こす。固定用切り込み（４）に固定用差込部（３）をＡ〜Ｃに三重に手前から奥へ順にくぐらせる。［図３］の完成図の折り辺（６）を山折りにし、ヘッドレスト固定穴（１）と（５）をヘッドレストのポールに通して本体をヘッドレストに設置する。以上の組み立てにより、ペットボトル差し込み口（７）を成形し、ペットボトルを上から差し込む事ができ、［図４］のように、車載用ペットボトルホルダーとして使用することができる。
【符号の説明】
【００２４】１  自動車用ヘッドレストの固定穴
２  ホルダー前面
３  固定用差込部
４  固定用切り込み
５  自動車用ヘッドレストの固定穴
６  山折り辺
７  ペットボトル差し込み開口部
【図１】
0003202368.tif 000003
【図２】
0003202368.tif 000004
【図３】
0003202368.tif 000005
【図４】
0003202368.tif 000006
【手続補正書】
【提出日】平成27年7月6日(2015.7.6)
【手続補正１】
【補正対象書類名】実用新案登録請求の範囲
【補正対象項目名】全文
【補正方法】変更
【補正の内容】
【実用新案登録請求の範囲】
【請求項１】
型抜きされた１枚から成るプラスチックシートを、ホルダー前面（２）を上にして、下部を奥方向へ曲げ、固定用切り込み（４）に固定用差込部（３）をそれぞれ内側より順番に通し、自動車用ヘッドレストの固定穴が形成される部分を奥方向に折り曲げ、形成される車載用組立式ペットボトルホルダー。
【請求項２】
自動車用ヘッドレストの固定穴（１）と固定穴（５）を、山折り辺（６）を山折りにして重ね、ヘッドレスト固定穴（１）と固定穴（５）をヘッドレストのポールに通して本体をヘッドレストに設置し、本体を組み立てることでペットボトル差し込み口（７）を成形することを特徴とした、請求項１に記載の車載用組立式ペットボトルホルダー。
［実用例１］
［図１］は型抜きされた１枚のプラスチックシートである。このプラスチックシート本体［図２］を山折りに半分に曲げて、車用ヘッドレストの固定穴（１）をホルダー前面（２）の後ろにくるように起こす。固定用切り込み（４）に固定用差込部（３）をＡ〜Ｃに三重に手前から奥へ順に通す。［図３］の完成図の山折り辺（６）を山折りにし、ヘッドレスト固定穴（１）と（５）をヘッドレストのポールに通して本体をヘッドレストに設置する。以上の組み立てにより、ペットボトル差し込み口（７）を成形し、ペットボトルを上から差し込む事ができ、［図４］のように、車載用ペットボトルホルダーとして使用することができる。
【手続補正書】
【提出日】平成27年9月17日(2015.9.17)
【手続補正１】
【補正対象書類名】実用新案登録請求の範囲
【補正対象項目名】全文
【補正方法】変更
【補正の内容】
【実用新案登録請求の範囲】
【請求項１】
型抜きされた１枚から成るプラスチックシートを、ホルダー前面（２）を上にして、下部を奥方向へ曲げ、固定用切り込み（４）に固定用差込部（３）をそれぞれ内側より順番に通し、自動車用ヘッドレストの固定穴が形成される部分を奥方向に折り曲げ、形成される車載用組立式ペットボトルホルダー。
【請求項２】
自動車用ヘッドレストの固定穴（１）と固定穴（５）を、山折り辺（６）を山折りにして重ね、ヘッドレスト固定穴（１）と固定穴（５）をヘッドレストのポールに通して本体をヘッドレストに設置し、本体を組み立てることでペットボトル差し込み口（７）を成形することを特徴とした、請求項１に記載の車載用組立式ペットボトルホルダー。
(57)【要約】      （修正有）【課題】福ダルマを表記しただるまカルタを提供する。【解決手段】歌留多の取り札に市販用福だるま、寺社拝観用ダルマの写真や絵を表記し、読み札は、川柳、格言、俳句とした。【選択図】図１
0003202370.tif 000002
【実用新案登録請求の範囲】
【請求項１】
市販用達磨、寺社拝観用ダルマから選出したダルマ、の写真や絵画を表記した、カルタでカルタの読み札の文章を川柳や格言俳句短歌などとしたダルマカルタ、とカルタ会名や川柳や格言詩歌、会名などの明記覧と会紋や社紋、家紋などの捺印と付着ができる賞品用ダルマ。
【請求項２】
このカルタ・賞品ダルマのサイズ、表記文字は日本文字、外国文字も使用し、表記色も全色使用とする。
【考案の詳細な説明】
【技術分野】
【０００１】  本案は、福ダルマ全種目の中から選出とした、ダルマの写真または絵画を表記したカルタで、福ダルマに合わせて、慶祝の川柳や、格言、俳句、短歌などを読み札としたカルタです。
カルタ大会・その他の賞品ダルマ、取得賞名の揮毫欄を設けた、賞品ダルマを制作します。
【背景技術】
【０００２】  福ダルマ・信仰は廣くほとんどの家庭に奉られていますが、ダルマの写真や絵画の付いた、カルタはありません。
また、そのカルタの読み札を、川柳や、格言集、俳句、短歌としたカルタもありません。
また、取得賞名・その他の書込覧付きのダルマも、ありません。
【考案が解決しようとする課題】
【０００３】  ▲１▼…福ダルマの公益制を・カルタの競技と、遊戯に連動させたい。
▲２▼…福ダルマの信仰性をカルタの読み札に連動させたい。
▲３▼…福ダルマを、目出度い祝の継承する◇入賞・賞品化したい。
▲４▼…カルタの読み札の読み上げ文章が、川柳、格言、俳句、短歌への入門書として、役にたたせたい。
【考案が解決しようとしている手段】
【０００４】第１の手段は、福ダルマの継承です。
その福ダルマを、我が国古来の遊戯カルタにより、より楽しい、祝賀の会が手軽に、開催でき、詩歌まで学べることは、喜ばしいことです。
福ダルマカルタで、老いも、若きも、男も、女も、福ダルマ誕生祝賀会を、開催しましょう。
そして、祝賀賞の・福ダルマを、楽しみましょう。
【図面の簡単な説明】
【０００５】
【図１】ダルマカルタ・取り札と読み札の説明図
【図１】
0003202370.tif 000003
【手続補正書】
【提出日】平成27年9月3日(2015.9.3)
【手続補正１】
【補正対象書類名】実用新案登録請求の範囲
【補正対象項目名】全文
【補正方法】変更
【補正の内容】
【実用新案登録請求の範囲】
【請求項１】
歌留多の取り札に、市販用福だるま、寺社拝観用ダルマの写真や絵を表記し、読み札は、川柳、格言、俳句としただるまカルタ。
(57)【要約】      （修正有）【課題】毛筆（シンフォニーペン）の構造を改良し、これにより書道や絵画の特殊な効果を奏させるシンフォニーペンの構造を提供する。【解決手段】書斎の四道具（文房四宝）、筆、墨、紙、硯は、中国で発祥し数千年の歴史を有している。シンフォニーペンの構造は通常、穂部、軸先、筆管及び頂部で構成される。本考案のシンフォニーペンは、筆管３、穂部４、導管２及びインク収納部６を含み、導管２は筆管３中に挿入され、導管２と穂部４は連通し、導管２の上端はインク収納部６に連結され、インク収納部６内にはインクが収納されている。シンフォニーペンの構造において、一本の筆管３内に一本の導管２を設けることにより飛龍筆を構成し、一本の筆管３内に三本の導管２を設けることにより暈色筆を構成し、一本の筆管３内に複数本の導管２を設けることにより幻色筆を構成するなど、様々な構成が可能である。【選択図】図１
0003202353.tif 000002
【実用新案登録請求の範囲】
【請求項１】
筆管（３）と穂部（４）を含むシンフォニーペンの構造であって、導管（２）とインク収納部（６）を更に含み、導管（２）は筆管（３）中に挿入され、導管（２）と穂部（４）は連通し、導管（２）の上端はインク収納部（６）に連結され、インク収納部（６）内にはカラー顔料、インク或いは水が収納されていることを特徴とするシンフォニーペンの構造。
【請求項２】
導管（２）には連結部（１）と流量調節装置（５）が設けられていることを特徴とする請求項１に記載のシンフォニーペンの構造。
【請求項３】
インク収納部（６）はゴムひも（７）によって支持体（８）に掛けられることを特徴とする請求項１に記載のシンフォニーペンの構造。
【請求項４】
一本の筆管（３）内には一本の導管（２）が設けられることを特徴とする請求項１に記載のシンフォニーペンの構造。
【請求項５】
一本の筆管（３）内には複数本の導管（２）が設けられ、各導管（２）に連結されたインク収納部（６）内には互いに色が異なるカラー顔料、インク或いは水がそれぞれ収納されていることを特徴とする請求項１に記載のシンフォニーペンの構造。
【請求項６】
一本の筆管（３）内には一本の導管（２）が設けられ、シンフォニーペンは複数本の筆管（２）で構成されることを特徴とする請求項１に記載のシンフォニーペンの構造。
【考案の詳細な説明】
【技術分野】
【０００１】
本考案は、文房具に関し、特に毛筆の構造を改良した新型構造に関するものである。
【背景技術】
【０００２】
書斎の四道具（中国語では「文房四宝」と言う）である筆、墨、紙及び硯は、中国で発祥し数千年の歴史を有している。毛筆には様々な種類があるが、毛筆の構造は通常、穂部、軸先、筆管及び頂部で構成される。一般の文字を書くか或いは絵をかくとき、このような毛筆は対応できるが、特殊な視覚的効果が要求される絵をかくとき、充分に対応することができない。
【考案の概要】
【考案が解決しようとする課題】
【０００３】
本考案の目的は、毛筆の構造を改良し、これにより書道や絵画の特殊な効果を奏させることにある。
【課題を解決するための手段】
【０００４】
上述した目的を果たすため、本考案は筆管と穂部を含むシンフォニーペンの構造を提供する。このシンフォニーペンの構造は導管とインク収納部を更に含む。導管は筆管中に挿入され、導管と穂部は連通し、導管の上端はインク収納部に連結され、インク収納部内にはカラー顔料、インク或いは水（絵具）が収納されている。
【０００５】
導管上には連結部と流量調節装置が設けられている。
【０００６】
インク収納部はゴムひもによって支持体に掛けられる。これにより、シンフォニーペンを使うとき、導管が曲がることを防止し、インクが順調に流れることを確保することができる。
【０００７】
導管と筆管は次のいずれか一種として設けられる。
（１）一本の筆管内に一本の導管が設けられる。
（２）一本の筆管内に複数本の導管が設けられ、各導管に連結されたインク収納部内には色が互いに異なるインクがそれぞれ収納される。
（３）一本の筆管内に一本の導管が設けられ、シンフォニーペンは複数本の筆管で構成される。
【図面の簡単な説明】
【０００８】
【図１】本考案の第一実施例に係るシンフォニーペンの構造を示す正面図であり、一本の筆管内に一本の導管が設けられる場合を示す正面図である。
【図２】本考案の第二実施例に係るシンフォニーペンの構造を示す正面図であり、一本の筆管内に三本の導管が設けられることを示す正面図である。
【図３】本考案の第三実施例に係るシンフォニーペンの構造を示す正面図であり、一本の筆管内に七本の導管が設けられることを示す正面図である。
【考案を実施するための形態】
【０００９】
以下、図面によりシンフォニーペンの複数の実施例について説明する。
【００１０】
（１）飛龍筆。飛龍筆は一本の筆管内に一本の導管が設けられるシンフォニーペンを言う（図１に示すとおりである）。
書家がまじめに書道や絵画をするとき、墨が無くなったら、シンフォニーペンに墨を付けなければならない。しかしながら、本考案の飛龍筆を使うことにより、書家はシンフォニーペンに墨を付けず、一気呵成にすることが可能となる。書家は、自己の創作の風格によりシンフォニーペンを速く動かしたり遅くさせたりことができる。運筆速さの変化により、インクが十分に付けられるように（シンフォニーペンを遅く動かすとき）書いたり（シンフォニーペンを早く動かすとき）かすれがきをしたりすることができる。これにより、素晴らしい中国水墨作品をかくことができる。
【００１１】
（２）暈色筆。暈色筆は一本の筆管内に三本の導管が設けられるシンフォニーペンを言う（図２に示すとおりである）。
このシンフォニーペンで二色或いは三色を同時書くことができる。画家がそのシンフォニーペンで金絲竹（Bambusa vulgaris Schrader ex Wendland cv. Vittata McClure）などをかくとき、作品の色の効果を向上させることができる。
【００１２】
（３）幻色筆。幻色筆は一本の筆管内に七本の導管が設けられるシンフォニーペンを言う（図３に示すとおりである）。
このシンフォニーペンで七色を同時書くことができる。すなわち、一筆で七色の虹などをかくことができるので、抽象画をかくとき、色が豊かに変化し、作品の効果を向上させることができる。
【００１３】
（４）幻色筆の他の実施例において、一本の筆管内に複数本の導管を設けることができる。
一本の筆管内に所定の導管を設けることにより、サイズが異なる色々なシンフォニーペンを作ることができる。画家がこれらを使用することにより、作品の効果を向上させることができる、作品の一層の豊富化、多様化が期待できる。
【符号の説明】
【００１４】
１  連結部
２  導管
３  筆管
４  穂部
５  流量調節装置
６  インク収納部
７  ゴムひも
８  支持体
【図１】
0003202353.tif 000003
【図２】
0003202353.tif 000004
【図３】
0003202353.tif 000005
(57)【要約】      （修正有）【課題】簡単な構造でありながら興味深い運動を示す玩具であり、またスペースに厳しい商業地域でもアトラクションとして利用でき、さらには理科の実験装置としても役立つ玩具を提供する。【解決手段】磁力と重力を利用して傾斜した１本の金属線１に沿って回転装置４を下降させる玩具であるが、金属線１を螺旋状に形成することで省スペースをはかり、また回転装置４の回転力の反力によって螺旋状の金属線１が自転できるようにすることで興味深い錯視効果をもたらすものを実現した。【選択図】図１
0003202379.tif 000002
【実用新案登録請求の範囲】
【請求項１】
螺旋状に形成した鉄または鉄の合金からなる金属線と、前記金属線を吊すための支持装置と、前記金属線と前記支持装置とを結ぶ連結部材と、前記金属線に磁力で接しつつ重力により回転しながら下降する回転装置とから成る玩具であって、前記回転装置は鉄または鉄の合金から成るシャフトと、前記シャフトに接続する磁石と、前記シャフトを軸として回転する回転部材と、前記回転装置が前記金属線から離脱するのを防ぎ、かつ前記回転装置にかかる重力を前記金属線に沿った推進力に変える働きをするストッパーとを備える玩具。
【考案の詳細な説明】
【技術分野】
【０００１】  本考案は、磁力と重力を利用して螺旋軌道を下降する回転玩具に関するものである。
【背景技術】
【０００２】  磁力と重力を利用した回転玩具は、特開２００６−３１４５３３により公知となっている。
【先行技術文献】
【特許文献】
【０００３】
【特許文献１】特開２００６−３１４５３３号公報
【図面の簡単な説明】
【０００４】
【図１】本考案の一実施例を示す概略斜視図である。
【図２】本考案の回転装置の一実施例を示す断面図である。
【考案を実施するための形態】
【０００５】  以下、本考案の実施形態を図面に基づいて説明する。図１は、螺旋状に形成した金属線１が支持装置２と連結部材３とにより鉛直に吊るされ、回転装置４が金属線１に接触しつつ下降していることを示すものである。
【０００６】  この場合、金属線１が直線状であるとすると設営に要する場所の面積が大きくなることが欠点となるが、本考案では螺旋状に形成して鉛直に吊るし、その螺旋の傾斜を利用することにより実施の場での省スペースおよび支持体の簡素化を実現していることが特徴である。
【０００７】  回転装置４は、図２に示すように、鉄または鉄の合金からなるシャフト５に磁石６、回転部材７、およびストッパー８が固着されている。ストッパー８の形状は略球形または半球形または円錐形であり、シャフト５が金属線１に接触しつつ回転するときには、ストッパー８も同時に金属線１に１点で接触しつつ回転するのであるが、その接点の、ストッパー８上での軌跡は円となるものである。
【０００８】  シャフト５は磁石６により磁化されているので金属線１を引きつけ、ストッパー８は回転装置４が金属線１から離脱するのを防ぐとともに、回転装置４にかかる重力を金属線１に沿った推進力に変える働きをする。また、回転部材７は弾み車として回転装置４をスムーズに回転させる役割を果たす。なお、回転部材７の形状は必ずしも円盤状である必要はなく、プロペラの形状や、数本のアームが中心から放射状に広がった形状ものであってもよい。
【０００９】  この際、回転部材７の直径や重さ、さらには回転中心からの質量分布を変えることにより、回転装置４の回転速度や下降速度を調べるなど種々の力学的な実験をすることが可能である。
【００１０】  なお、図１は、回転装置４が金属線１の螺旋の外側に接していることを示すものであるが、螺旋の内側に接するようにすることも可能である。ただしこの場合、回転装置４の回転方向は、螺旋の外側の場合とは逆になる。
【００１１】  一方、連結部材３に、絹糸や木綿糸、糸ゴム、輪ゴムといった、捩りに対する抵抗の小さい線状物質を用いた場合、回転装置４の回転力により、螺旋状に形成した金属線１に反作用が生じ、金属線１自体が回転装置４の回転方向とは逆の方向に回転するという現象が起こる。この逆方向の回転速度が大きくなると、あたかも回転装置４が金属線１を上昇しているかのような錯覚を観察者に与えるのである。
【００１２】  この現象が続き、連結部材３に蓄積される捩れのエネルギーが大きくなると、回転装置４とは逆の方向に回転している金属線１の回転速度が次第に遅くなり、遂には回転装置４が水平方向に対しては全く移動せずに回転し続けているという時間帯が生じる。この時間帯では、回転装置４は静止空間に対しては下降しているにもかかわらず、回転しつつ静止しているかのような錯覚を観察者に与えるのである。
【００１３】  さらに、連結部材３に蓄積される捩れのエネルギーが高まると、そのエネルギーを放出しようとして、金属線１は回転装置４の回転方向と同じ方向に回転を始める。その結果、回転装置４が通常よりも速く下降しているかのような錯覚を観察者に与えるのである。なお、ここで述べた「通常よりも」の「通常」とは、金属線１自体が全く回転しない場合の回転装置４の下降速度を意味するものとする。
【００１４】  金属線１の上端から下端までの下降に要する回転装置４の時間と回転数は、金属線１の形状が不変であり、かつシャフト５と金属線１との間に滑りが生じていない限り不変である。これは実験によっても確認されている。
【００１５】  回転装置４が上昇しているかに見える時間、静止しているかに見える時間、通常よりも速く下降しているかに見える時間は、連結部材３の材質や太さや長さを変えることにより変化させることができる。この、いわゆる錯視効果は非常に興味深いので、この玩具は万人の注目するものになることが期待される。
【００１６】  ここで、まとめとして本考案を付記する。
螺旋状に形成した鉄または鉄の合金からなる金属線（１）と、前記金属線を吊すための支持装置（２）と、前記金属線と前記支持装置とを結ぶ連結部材（３）と、前記金属線に磁力で接しつつ重力により回転しながら下降する回転装置（４）とから成る玩具であって、前記回転装置は鉄または鉄の合金からなるシャフト（５）と、前記シャフトに接続する磁石（６）と、前記シャフトを軸として回転する回転部材（７）と、前記回転装置が前記金属線から離脱するのを防ぎ、かつ前記回転装置にかかる重力を前記金属線に沿った推進力に変える働きをするストッパー（８）とを備える玩具。
【符号の説明】
【００１７】１  螺旋状に形成した金属線
２  支持装置
３  連結部材
４  回転装置
５  シャフト
６  磁石
７  回転部材
８  ストッパー
【図１】
0003202379.tif 000003
【図２】
0003202379.tif 000004
【手続補正書】
【提出日】平成27年11月5日(2015.11.5)
【手続補正１】
【補正対象書類名】明細書
【補正対象項目名】０００８
【補正方法】変更
【補正の内容】
【０００８】  シャフト５は磁石６により磁化されているので金属線１を引きつけ、ストッパー８は回転装置４が金属線１から離脱するのを防ぐとともに、回転装置４にかかる重力を金属線１に沿った推進力に変える働きをする。また、回転部材７は弾み車として回転装置４をスムーズに回転させる役割を果たす。なお、回転部材７の形状は必ずしも円盤状である必要はなく、プロペラの形状や、数本のアームが中心から放射状に広がった形状のものであってもよい。
(57)【要約】      （修正有）【課題】眼鏡・アクセサリーまたはスマホを入れることができる、ネクタイを再生利用したケースを提供する。【解決手段】ネクタイの結んだ際に前面にくる太いほうの先１（大剣部）と、後面にくる細いほうの先２（小剣部）を袋状ケースに縫製加工する。またケース内部に、イヤリング・ネックレス・指輪・眼鏡拭きなどの布を入れることができる小物入れ内ポケット５を設ける。男性ならネクタイとポケットチーフを同じ柄で合わせたように見せ、胸ポケットに入れることにより、オシャレだけではなく機能アイテムとして使用できる。女性ならペア商品として、また、ファッションの新しいアイテムとしてバッグの中に入れて、眼鏡＆携帯電話ケースなどとして使用できる。【選択図】図３
0003202372.tif 000002
【実用新案登録請求の範囲】
【請求項１】
ペアファッションアイテムとして、ネクタイ（彼）とメガネ＆アクセサリー・スマホなど（彼女）のケースで使用するネクタイアレンジケース。
ネクタイの再利用品として大剣部、小剣部を利用した小物入れ。
【請求項２】
このアイテムの内側に小物入れポケット機能をつける。
（小物入れ  例：イヤリング・ネックレス・指輪・眼鏡拭きなどの布）
【請求項３】
このケースの内側に、更にソフト且つ強度を出すためクッション材（芯材など）を入れ、胸ポケットなどに入れる事も考慮して電波防止の布などを一部使用し、身体にも優しい商品とする。
【考案の詳細な説明】
【技術分野】
【０００１】ネクタイのアレンジとして、眼鏡や携帯電話のケース、アクセサリーなどの小物入れ全般として使用することに関する。
【背景技術】
【０００２】肉親・友人等の思い出を大事にする心を持つことができる再生ケース
【考案の概要】
【考案が解決しようとする課題】
【０００３】現代社会ではクールビズや若者のネクタイ離れ、カジュアルなファッションが目立ちネクタイをする機会が減ってきている。
また、流行もあり思い出深いネクタイがタンスの中で眠っているのが現状である。
昔からのネクタイなどは生地もよく、肉厚。この上質な生地が今、捨てられようとしているものを再生させたい。
【課題を解決するための手段】
【０００４】再生すること
【考案の効果】
【０００５】本考案は、通常通り使用するネクタイと大剣先を出したポケットチーフ図４▲１▼として同柄で合わせたり、彼氏と彼女で隠れた二人だけのお揃い（ペア）のファッションアイテム商品として、古いネクタイの再生ならば、新たな第２の人生生活で必要となってくるかもしれない老眼鏡やＰＣ眼鏡、携帯電話などのケースとして持ったり、父親や大好きだったお爺ちゃんの形見として、また、お孫さんとお爺ちゃん、お婆ちゃん、お父さんとお母さん、友達やサークルなどのグループやお揃いでも持つことができる万能ファッションアイテムとなりうる。いつまでも大事に使用する  “いつも一緒”という“人と人の繋がり”、“絆の大切さ”などを今一度、考えさせられるような“思い出の再生”として様々な効果を有する。
【図面の簡単な説明】
【０００６】
【図１】アレンジケースのサンプル写真
【図２】アレンジケースの意匠詳細図
【図３】縫製の位置図（点線部分）
【図４】実際に胸ポケットなどに入れた状態の全体イラスト図（スーツ・Ｙシャツの例）
【産業上の利用可能性】
【０００７】ネクタイの再生製品として新しい利用を確立することができる
【符号の説明】▲１▼大剣部
▲２▼小剣部
▲３▼例：ブランドのアイコンマーク、ロゴ
▲４▼ネクタイ裏地
▲５▼内側ポケット
【図１】
0003202372.tif 000003
【図２】
0003202372.tif 000004
【図３】
0003202372.tif 000005
【図４】
0003202372.tif 000006
【手続補正書】
【提出日】平成27年8月19日(2015.8.19)
【手続補正１】
【補正対象書類名】実用新案登録請求の範囲
【補正対象項目名】全文
【補正方法】変更
【補正の内容】
【実用新案登録請求の範囲】
【請求項１】
大剣部と小剣部をもつネクタイの再利用品として眼鏡・アクセサリーまたはスマホを入れることができるネクタイアレンジケース。
【請求項２】
大剣部と小剣部をもつネクタイの再利用品の内側に、イヤリング・ネックレス・指輪・眼鏡拭きなどの布を入れることができる小物入れポケット機能をもつネクタイアレンジケース。
【請求項３】
大剣部と小剣部をもつネクタイの再利用品の内側に、形状保持のためクッション材・芯材また胸ポケットなどに入れることも考慮して電波防止の布などを一部使用した機能をもつネクタイアレンジケース。
【手続補正書】
【提出日】平成27年10月26日(2015.10.26)
【手続補正１】
【補正対象書類名】実用新案登録請求の範囲
【補正対象項目名】全文
【補正方法】変更
【補正の内容】
【実用新案登録請求の範囲】
【請求項１】
ネクタイの結んだ際に前面にくる太いほうの先と（一般的に大剣部と呼ばれている（以下、大剣部と呼ぶ））後面にくる細いほうの先（一般的に小剣部と呼ばれている（以下、小剣部と呼ぶ））を袋状に縫製加工することで眼鏡・アクセサリーまたはスマホを入れることができるネクタイを利用したケース
【請求項２】
請求項１のケース内部にイヤリング・ネックレス・指輪・眼鏡拭きなどの布を入れることができる小物入れ内ポケットを設けたネクタイを利用したケース
【請求項３】
請求項１のケースの内側に形状保持のためクッション材・芯材また胸ポケットなどに入れることも考慮して電波防止の素材をプラスしたネクタイを利用したケース